(57)【要約】【課題】  遠隔監視を容易に繰り返し実行できる遠隔監視システム及びこれに用いる携帯電話端末を提供する。【解決手段】  カメラ部５によって被写体を撮影して生成した動画像データをアンテナ１及び無線部２によって通信相手に送信するとともに、該通信相手から送信されてきた動画像データをアンテナ１及び無線部２で受信して表示部３に表示するＴＶ電話通信機能と、予め設定した任意の時刻に所定の機能を作動させるＣＰＵ４とを備えたＴＶ電話機能付き携帯電話端末であって、ＴＶ電話通信機能は、ＣＰＵ４によって任意の時刻に作動可能であり、ＣＰＵ４は、ＴＶ電話通信機能を作動させる時刻、通信相手の電話番号、該ＴＶ電話通信機能を作動させる時間、該ＴＶ電話通信機能の作動を繰り返す間隔、及び該ＴＶ電話通信機能の作動を繰り返すパターンを設定可能である。【選択図】  図１
2006229842.tif 000002
【特許請求の範囲】
【請求項１】
被写体を撮影して生成した動画像データを無線通信によって通信相手に送信するとともに、該通信相手から送信されてきた動画像データを受信して表示するＴＶ電話通信手段と、
予め設定した任意の時刻に所定の機能を作動させるスケジュール設定手段とを備えたＴＶ電話機能付き携帯電話端末であって、
前記ＴＶ電話通信手段は、前記スケジュール設定手段によって任意の時刻に作動可能であり、
前記スケジュール設定手段は、前記ＴＶ電話通信手段を作動させる時刻、通信相手の電話番号、該ＴＶ電話通信手段を作動させる時間、該ＴＶ電話通信手段の作動を繰り返す間隔、及び該ＴＶ電話通信手段の作動を繰り返すパターンを設定可能であることを特徴とするＴＶ電話機能付き携帯電話端末。
【請求項２】
前記動画像データを格納する動画像データ格納手段を有し、前記スケジュール機能によって前記ＴＶ電話通信手段を作動させた場合には、前記動画像データ格納に格納されている所定の動画像データを通信相手に送信することを特徴とする請求項１記載のＴＶ電話機能付き携帯電話端末。
【請求項３】
前記スケジュール設定手段は、前記ＴＶ電話通信手段を定期的に作動させるように前記ＴＶ電話通信手段の作動の繰り返しパターンが設定可能であることを特徴とする請求項１又は２記載のＴＶ電話機能付き携帯電話端末。
【請求項４】
ユーザによって設定された電話番号を格納する監視者電話番号格納手段を有し、該監視者電話番号格納手段に格納された電話番号からの発呼に対しては、ユーザのオフフック操作によらず着信して、通信を確立させることを特徴とする請求項１から３のいずれか１項記載のＴＶ電話機能付き携帯電話端末。
【請求項５】
被写体を撮影して生成した動画像データを移動体通信網を介して第２のＴＶ電話機能付き携帯電話端末に送信するとともに、該第２のＴＶ電話機能付き携帯電話端末から送信されてきた動画像データを受信して表示するＴＶ電話通信手段及び、予め設定した任意の時刻に所定の機能を作動させるスケジュール設定手段を備えた第１のＴＶ電話機能付き携帯電話端末と、前記ＴＶ電話通信手段を備えた前記第２のＴＶ電話機能付き携帯電話端末とが移動体通信網を介して接続された遠隔監視システムであって、
前記第１のＴＶ電話機能付き携帯電話端末は、
前記スケジュール設定手段によって前記ＴＶ電話通信手段を任意の時刻に作動可能であり、
前記スケジュール設定手段は、前記ＴＶ電話通信手段を作動させる時刻、通信相手の電話番号、該ＴＶ電話通信手段を作動させる時間、該ＴＶ電話通信手段の作動を繰り返す間隔、及び該ＴＶ電話通信手段の作動を繰り返すパターンを設定可能であり、
前記第２のＴＶ電話機能付き携帯電話端末は、前記第１のＴＶ電話機能付き携帯電話端末からの発呼に対しては、ユーザのオフフック操作によらず着信して、通信を確立させることを特徴とする遠隔監視システム。
【請求項６】
前記第１のＴＶ電話機能付き携帯電話端末は、前記動画像データを格納する動画像データ格納手段を有し、前記スケジュール機能によって前記ＴＶ電話通信手段を作動させた場合には、前記動画像データ格納に格納されている所定の動画像データを前記第２のＴＶ電話機能付き携帯電話端末に送信することを特徴とする請求項５記載の遠隔監視システム。
【請求項７】
前記スケジュール設定手段は、前記ＴＶ電話通信手段を定期的に作動させるように前記ＴＶ電話通信手段の作動の繰り返しパターンが設定可能であることを特徴とする請求項５又は６記載の遠隔監視システム。
【発明の詳細な説明】
【技術分野】
【０００１】
本発明は、ＴＶ機能付きの携帯電話端末及びこれを用いて遠隔地を監視するシステムに関し、特に遠隔監視を容易に繰り返し実行できるＴＶ電話機能付き携帯電話端末及び遠隔監視システムに関する。
【背景技術】
【０００２】
近年、携帯電話端末は高機能化が進んでおり、カメラモジュールやスケジュール管理機能を搭載することは当たり前となっている。
【０００３】
また、Ｗ−ＣＤＭＡなどの通信方式を採用した第三世代携帯電話（３Ｇ）が主流となりつつあり、大量のデータを短時間で携帯電話端末から送受信できるようになっている。このため、携帯電話端末のカメラモジュールを用いたコミュニケーションが普及してきている。
【０００４】
カメラモジュールを利用したコミュニケーションの一つとしてＴＶ電話がある。ＴＶ電話では、音声のみならず動画像を通信相手とやりとりできるため、通信相手の状態をより正確に把握できる。
【０００５】
ＴＶ電話は、医療分野などへも適用され始めている。例えば、老人の介護を目的として、遠隔監視のためにＴＶ電話が用いられている。
【０００６】
老人の介護の場合に限らず、遠隔監視は複数回を継続的に（多くの場合は定期的に）行うことがほとんどである。よって、ＴＶ電話機能を遠隔監視に用いる場合、操作を自動化して定期的にモニタリングすることができれば、電話帳検索や発信などの操作が不要になり、医療現場へのさらなる普及を図れる。
【０００７】
携帯電話端末のＴＶ電話機能を用いた遠隔監視に関する従来技術としては、特許文献１に開示される「在宅ケアシステム」や、特許文献２に開示される「通信システムの予約管理方式」がある。
【特許文献１】特開２０００−５７２１６号公報
【特許文献２】特開平４−２９１８６０号公報
【発明の開示】
【発明が解決しようとする課題】
【０００８】
しかしながら、特許文献１に開示される発明では、被監視者の端末（在宅ケア端末）は、通信開始時に監視者の端末（在宅ケアセンタ）を認証しない。このため、被監視者は正当な管理者とは異なる者に監視されてしまうおそれがある。
【０００９】
また、特許文献２に開示される発明は、通信相手の電話番号を含む予約管理テーブルを保持することにより、予約開始時刻に通信中である場合には通信を切断して回線を開放し、予約された通信を確実に行えるようにしたものである。すなわち、特許文献２に開示される発明は、予約した通信を確実に行えるようにするためのものであり、遠隔監視を容易に繰り返し実行できるようにするものではない。
【００１０】
このように、従来は、遠隔監視を容易に繰り返し実行できる遠隔監視システム及びこれに用いる携帯電話端末は提供されていなかった。
【００１１】
本発明はかかる問題に鑑みてなされれたものであり、遠隔監視を容易に繰り返し実行できる遠隔監視システム及びこれに用いるＴＶ電話機能付き携帯電話端末を提供することを目的とする。
【課題を解決するための手段】
【００１２】
上記目的を達成するため、本発明は、第１の態様として、被写体を撮影して生成した動画像データを無線通信によって通信相手に送信するとともに、該通信相手から送信されてきた動画像データを受信して表示するＴＶ電話通信手段と、予め設定した任意の時刻に所定の機能を作動させるスケジュール設定手段とを備えたＴＶ電話機能付き携帯電話端末であって、ＴＶ電話通信手段は、スケジュール設定手段によって任意の時刻に作動可能であり、スケジュール設定手段は、ＴＶ電話通信手段を作動させる時刻、通信相手の電話番号、該ＴＶ電話通信手段を作動させる時間、該ＴＶ電話通信手段の作動を繰り返す間隔、及び該ＴＶ電話通信手段の作動を繰り返すパターンを設定可能であることを特徴とするＴＶ電話機能付き携帯電話端末を提供するものである。
【００１３】
本発明の第１の態様においては、動画像データを格納する動画像データ格納手段を有し、スケジュール機能によってＴＶ電話通信手段を作動させた場合には、動画像データ格納に格納されている所定の動画像データを通信相手に送信することが好ましい。また、スケジュール設定手段は、ＴＶ電話通信手段を定期的に作動させるようにＴＶ電話通信手段の作動の繰り返しパターンが設定可能であることが好ましい。また、ユーザによって設定された電話番号を格納する監視者電話番号格納手段を有し、該監視者電話番号格納手段に格納された電話番号からの発呼に対しては、ユーザのオフフック操作によらず着信して、通信を確立させることが好ましい。
【００１４】
また、上記目的を達成するため、本発明は、第２の態様として、被写体を撮影して生成した動画像データを移動体通信網を介して第２のＴＶ電話機能付き携帯電話端末に送信するとともに、該第２のＴＶ電話機能付き携帯電話端末から送信されてきた動画像データを受信して表示するＴＶ電話通信手段及び、予め設定した任意の時刻に所定の機能を作動させるスケジュール設定手段を備えた第１のＴＶ電話機能付き携帯電話端末と、ＴＶ電話通信手段を備えた第２のＴＶ電話機能付き携帯電話端末とが移動体通信網を介して接続された遠隔監視システムであって、第１のＴＶ電話機能付き携帯電話端末は、スケジュール設定手段によってＴＶ電話通信手段を任意の時刻に作動可能であり、スケジュール設定手段は、ＴＶ電話通信手段を作動させる時刻、通信相手の電話番号、該ＴＶ電話通信手段を作動させる時間、該ＴＶ電話通信手段の作動を繰り返す間隔、及び該ＴＶ電話通信手段の作動を繰り返すパターンを設定可能であり、第２のＴＶ電話機能付き携帯電話端末は、第１のＴＶ電話機能付き携帯電話端末からの発呼に対しては、ユーザのオフフック操作によらず着信して、通信を確立させることを特徴とする遠隔監視システムを提供するものである。
【００１５】
本発明の第２の態様においては、第１のＴＶ電話機能付き携帯電話端末は、動画像データを格納する動画像データ格納手段を有し、スケジュール機能によってＴＶ電話通信手段を作動させた場合には、動画像データ格納に格納されている所定の動画像データを第２のＴＶ電話機能付き携帯電話端末に送信することが好ましい。また、スケジュール設定手段は、ＴＶ電話通信手段を定期的に作動させるようにＴＶ電話通信手段の作動の繰り返しパターンが設定可能であることが好ましい。
【発明の効果】
【００１６】
本発明によれば、遠隔監視を容易に繰り返し実行できる遠隔監視システム及びこれに用いるＴＶ電話機能付き携帯電話端末を提供できる。
【発明を実施するための最良の形態】
【００１７】
本発明では携帯電話端末のスケジュール機能を利用して、ＴＶ電話機能を用いた遠隔監視を開始する時刻、ＴＶ電話遠隔監視設定されている相手の電話番号、どれくらいの時間で遠隔監視をするのかを設定する。そして、スケジュールとして設定された時刻となると、設定された相手に対し自動的にＴＶ電話通信を実行し、設定された時間分だけＴＶ電話通信を継続する。設定された時間が経過したら、ＴＶ電話通信を自動で切断する。
【００１８】
この場合、自動遠隔監視設定する相手の端末は、「遠隔監視機能」を備え、設定が有効となっている必要がある。ここでの「遠隔監視機能」とは、ＴＶ電話での発呼を受けたた際に、オフフックの操作（着信ボタンの押下など）がなくても自動的に応答する機能である。なお、監視者以外の者からのＴＶ電話による発呼を受ける可能性もあることから、監視者の携帯電話端末の電話番号を登録可能であり、登録されている電話番号からのＴＶ電話発呼に対してのみ自動的に応答すると良い。
【００１９】
本発明は、医療（老人介護）用途の他にも、家族やペットを家に残して外出する際に、自宅を自動での遠隔監視するためなどに用いることが可能である。このような用途に利用することで、本発明の利用者は、監視対象を自宅に残していてもも安心して外出できるようになる。
【００２０】
〔第１の実施形態〕
本発明の好適に実施した第１の実施形態について説明する。図１に、本実施形態にかかる携帯電話端末の構成を示す。この携帯電話端末は、アンテナ１、無線部２、表示部３、ＣＰＵ４、カメラ部５、操作部６及びメモリ７を有する。
アンテナ１及び無線部２は、携帯電話端末が無線基地局との通信を行うために通話信号を含む電波を送受信する。遠隔監視時のＴＶ電話通信の際には、アンテナ１と無線部２とを介して遠隔監視相手からの動画データを受信する。ＣＰＵ４は、無線部２との通信信号処理及びメモリ７へのデータの保存、カメラ部５の制御、表示部３の表示処理制御、操作部６からの入力データの処理を行う。
【００２１】
図２に遠隔監視システムの構成を示す。本実施形態にかかる携帯電話端末は遠隔監視において監視側端末として適用される。監視側端末と被監視側端末とは移動体通信網を介して接続される。
【００２２】
図３に、スケジュールと連動した自動遠隔監視設定の画面イメージを示す。これはＣＰＵ４が表示部３に表示させる画面である。時刻設定エリア８は、遠隔監視を開始する時刻を設定するためのＧＵＩである。電話番号設定エリア９は、ＴＶ電話を発信する相手の電話番号を設定するためのＧＵＩである。なお、電話番号設定エリア９に入力する電話番号は、ＴＶ電話通信が可能でありかつＴＶ電話遠隔監視設定がされている必要がある。監視時間設定エリア１０は、遠隔監視時間を設定するためのＧＵＩである。ＣＰＵ４は、監視時間設定エリア１０に入力された時間ＴＶ電話機能による通信を行ったのち、通信を終了する。繰り返し時間設定エリア１１は、自動遠隔監視機能を繰り返し実行する設定を行うためのＧＵＩである。ＣＰＵ４は、時刻設定エリア８に設定された時刻から繰り返し時間設定エリア１１に設定した時間が経過した後に、電話番号設定エリア９に設定された電話番号に対してＴＶ電話を発信する。繰り返し回数設定エリア１２は、遠隔自動監視の繰り返し回数を設定するためのＧＵＩである。遠隔監視の繰り返し設定としては、遠隔監視を何回繰り返すかや、何曜日に行うかなどを設定可能である。なお、繰り返し設定として“毎日”とした場合には曜日の指定はできなくなる。一方、繰り返し設定として“毎日”としない場合には、曜日を指定して遠隔監視を実行可能である。
【００２３】
ここで、携帯電話端末の自動遠隔監視機能を、
時刻設定エリア８の設定値：２００４年１２月２４日１０時００分
電話番号設定エリア９の設定値：×××−○○○○−△△△△
監視時間設定エリア１０の設定値：１０分
繰り返し時間設定エリア１１の設定値：１０分
繰り返し回数設定エリア１２の設定値：２回、毎日
のように設定した場合を例として、携帯電話端末の動作を説明する。
【００２４】
上記条件に設定した場合、ＣＰＵ４は、２００４年１２月２４日１０時００分に×××−○○○○−△△△△の電話番号宛に最初のＴＶ電話発信を行う。１０分間ＴＶ電話通信で遠隔監視を実行したのち、ＣＰＵ４はＴＶ電話通信を切断する。ＴＶ電話通信を切断してから１０分後、ＣＰＵ４は再び×××−○○○○−△△△△に対してＴＶ電話を発信する。
ＣＰＵ４は、上記の動作を毎日１０時になると実行する。
【００２５】
このように、本実施形態にかかる携帯電話端末によれば、携帯電話端末が備えるスケジュール機能を利用して、ＴＶ電話機能を用いた遠隔監視を定期的に実行できる。しかも、スケジュール設定後は、ユーザの操作は不要であるため、遠隔監視を容易に繰り返し実行できる。
【００２６】
〔第２の実施形態〕
本発明を好適に実施した第２の実施形態について説明する。本実施形態にかかる携帯電話端末の構成は第１の実施形態と同様である。
【００２７】
図４に、本実施形態にかかる携帯電話端末における自動遠隔監視設定画面の一例を示す。第１の実施形態の携帯電話端末における設定画面に加えて、動画選択エリア１３をさらに備えている。動画選択エリア１３は、メモリ７に格納されている動画像データを遠隔監視実行時に通信相手に送信するか否かを設定するためのＧＵＩである。
【００２８】
動画選択エリア１３で動画像データのファイル名を指定した場合、ＣＰＵ４は指定された動画ファイルを遠隔監視開始時に読み出し、通信が確立した後に通信相手へ送信する。
これにより、遠隔監視開始時に、非監視者の携帯電話端末に所定の動画像（例えば、遠隔監視の開始を通知するメッセージ）を表示させることができる。
【００２９】
被監視者の端末においては、動画像ファイルの再生が終了した後では、監視者の携帯電話端末において撮影された画像がリアルタイムで表示される。
【００３０】
なお、動画像データとしては、予めメモリ７に格納されている動画像ファイルの他、スケジュール設定時に撮影してメモリ７に格納した動画像を送信することも可能である。
【００３１】
このように、本実施形態にかかるＴＶ電話機能付き携帯電話端末によれば、携帯電話端末が備えるスケジュール機能を利用して、ＴＶ電話機能を用いた遠隔監視を定期的に実行できる。しかも、スケジュール設定後は、ユーザの操作は不要であるため、遠隔監視を容易に繰り返し実行できる。
【００３２】
なお、上記各実施形態は、本発明の好適な実施の一例であり、本発明はこれに限定されることはない。
例えば、上記各実施形態においては、通信切断後所定の時間が経過した後に再度ＴＶ電話による発呼を行う場合を例としたが、通信開始後所定の時間が経過した後に再発呼するようにしても良い。
このように、本発明は様々な変形が可能である。
【図面の簡単な説明】
【００３３】
【図１】本発明を好適に実施した第１の実施形態にかかる携帯電話端末の構成を示す図である。
【図２】遠隔監視システムの構成を示す図である。
【図３】遠隔監視機能の設定画面の表示例を示す図である。
【図４】本発明を好適に実施した第２の実施形態にかかる携帯電話端末での遠隔監視機能の設定画面の表示例を示す図である。
【符号の説明】
【００３４】
１    アンテナ
２    無線部
３    表示部
４    ＣＰＵ
５    カメラ部
６    操作部
７    メモリ
８    時刻設定エリア
９    電話番号設定エリア
１０    監視時間設定エリア
１１    繰り返し時間設定エリア
１２    繰り返し回数設定エリア
１３    動画選択エリア
【図１】
2006229842.tif 000003
【図２】
2006229842.tif 000004
【図３】
2006229842.tif 000005
【図４】
2006229842.tif 000006